【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
複数の遊技機が設置される遊技機設置島であって、
前記遊技機設置島の下部に配設され、前記遊技機による遊技に使用する遊技球を貯留する下部タンクと、
前記下部タンクに貯留された遊技球を前記遊技機設置島の上部に揚送する揚送装置と、
前記遊技機設置島の上部に配設され、前記揚送装置にて揚送された遊技球を貯留するとともに、該貯留された遊技球を外部に流出させる流出路が下方に向けて形成された上部タンクと、
前記上部タンクから前記遊技機設置島の長手方向端部側に向けて下方に傾斜して設けられ、前記流出路から流出した遊技球を前記複数の遊技機に供給する供給樋と、
前記流出路内に上下方向に摺動自在に嵌合される筒状部、及び該筒状部の下端から遊技機設置島の長手方向に向けて連設され前記供給樋の端部が接続される樋接続部からなる可動部材と、
前記筒状部を前記上部タンクに取付けるための取付手段と、
を備え、
前記上部タンクの側板下部には、前記可動部材を下方から嵌合可能な切欠凹部を形成するための切断ガイド部が形成されており、
該切断ガイド部を切断して前記切欠凹部を形成することで前記可動部材の取付位置を上方向へ拡大可能とした、
ことを特徴とする遊技機設置島。
【請求項２】
前記切断ガイド部は、前記切欠凹部の高さを段階的に調整可能に形成されている請求項１に記載の遊技機設置島。
【請求項３】
前記切断ガイド部は、スリット部と連結部とからなり、
前記連結部の寸法は前記スリット部の寸法よりも短寸に形成されている請求項１または２に記載の遊技機設置島。
【手続補正２】
【補正対象書類名】明細書
【補正対象項目名】００１０
【補正方法】変更
【補正の内容】
【００１０】
上記課題を解決するために、本発明の請求項１に記載の遊技機設置島は、
複数の遊技機が設置される遊技機設置島であって、
前記遊技機設置島の下部に配設され、前記遊技機による遊技に使用する遊技球を貯留する下部タンクと、
前記下部タンクに貯留された遊技球を前記遊技機設置島の上部に揚送する揚送装置と、
前記遊技機設置島の上部に配設され、前記揚送装置にて揚送された遊技球を貯留するとともに、該貯留された遊技球を外部に流出させる流出路が下方に向けて形成された上部タンクと、
前記上部タンクから前記遊技機設置島の長手方向端部側に向けて下方に傾斜して設けられ、前記流出路から流出した遊技球を前記複数の遊技機に供給する供給樋と、
前記流出路内に上下方向に摺動自在に嵌合される筒状部、及び該筒状部の下端から遊技機設置島の長手方向に向けて連設され前記供給樋の端部が接続される樋接続部からなる可動部材と、
前記筒状部を前記上部タンクに取付けるための取付手段と、
を備え、
前記上部タンクの側板下部には、前記可動部材を下方から嵌合可能な切欠凹部を形成するための切断ガイド部が形成されており、
該切断ガイド部を切断して前記切欠凹部を形成することで前記可動部材の取付位置を上方向へ拡大可能とした、
ことを特徴としている。
この特徴によれば、上部タンク自体を上昇させる等の大がかりな作業を行うことなく、上部タンクに対する供給樋の上下方向の取付位置を、可動部材を介して容易に調整することができるため、遊技機設置島の全長寸法の変更に応じて供給樋の長さを変更することがあっても、簡単な作業で供給樋の傾斜角度を遊技球の流下に最適な角度に保つことができる。また、筒状部が上部タンクの内部に摺動自在に嵌合されることで、可動部材の上下方向の移動が上部タンクにより案内されるため、取付手段による取付作業を容易に行うことができる。さらに、切断ガイド部にあわせて側板を切断することで切欠凹部を容易に形成することができるため、供給樋の取付位置調整を遊技店の設置状況等に応じて行うことができるとともに、貯留された遊技球の重量負荷がかかる上部タンクの強度低下を極力防止できる。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明の請求項２に記載の遊技機設置島は、請求項１に記載の遊技機設置島であって、
前記切断ガイド部は、前記切欠凹部の高さを段階的に調整可能に形成されていることを特徴としている。
この特徴によれば、可動部材の取付位置にあわせて最小限必要な深さの切欠凹部を容易に形成することができるため、貯留された遊技球の重量負荷がかかる上部タンクの強度低下を極力防止できる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明の請求項３に記載の遊技機設置島は、請求項１または２に記載の遊技機設置島であって、
前記切断ガイド部は、スリット部と連結部とからなり、
前記連結部の寸法は前記スリット部の寸法よりも短寸に形成されていることを特徴としている。
この特徴によれば、現場における切断加工が容易になる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】０１１５
【補正方法】変更
【補正の内容】
【０１１５】
本発明の請求項１は、複数の遊技機（パチンコ機２）が設置される遊技機設置島（１、１’）であって、
前記遊技機設置島の下部に配設され、前記遊技機による遊技に使用する遊技球（パチンコ球）を貯留する下部タンク（９Ｌ、９Ｒ）と、
前記下部タンクに貯留された遊技球を前記遊技機設置島の上部に揚送する揚送装置（３２５）と、
前記遊技機設置島の上部に配設され、前記揚送装置にて揚送された遊技球を貯留するとともに、該貯留された遊技球を外部に流出させる流出路（５３）が下方に向けて形成された上部タンク（３）と、
前記上部タンクから前記遊技機設置島の長手方向端部側に向けて下方に傾斜して設けられ、前記流出路から流出した遊技球を前記複数の遊技機に供給する供給樋（４Ｌ、４Ｒ）と、
前記流出路内に上下方向に摺動自在に嵌合される筒状部（第１筒状部７１）、及び該筒状部の下端から遊技機設置島の長手方向に向けて連設され前記供給樋の端部が接続される樋接続部（第２筒状部７２）からなる可動部材（７０）と、
前記筒状部を前記上部タンクに取付けるための取付手段（ネジ７７）と、
を備え、
前記上部タンクの側板（５０）下部には、前記可動部材を下方から嵌合可能な切欠凹部（８１）を形成するための切断ガイド部（７８）が形成されており、
該切断ガイド部を切断して前記切欠凹部を形成することで前記可動部材の取付位置を上方向へ拡大可能とした。
【手続補正１１】
【補正対象書類名】明細書
【補正対象項目名】０１１６
【補正方法】削除
【補正の内容】
【手続補正１２】
【補正対象書類名】明細書
【補正対象項目名】０１１７
【補正方法】変更
【補正の内容】
【０１１７】
本発明の請求項２は、前記切断ガイド部（７８）は、前記切欠凹部（８１）の高さを段階的に調整可能に形成されている。
【手続補正１３】
【補正対象書類名】明細書
【補正対象項目名】０１１８
【補正方法】削除
【補正の内容】
【手続補正１４】
【補正対象書類名】明細書
【補正対象項目名】０１１９
【補正方法】変更
【補正の内容】
【０１１９】
本発明の請求項３は、前記切断ガイド部（７８）は、スリット部（７８ａ）と連結部（７８ｂ）とからなり、前記連結部の寸法は前記スリット部の寸法よりも短寸に形成されている。
【手続補正１５】
【補正対象書類名】明細書
【補正対象項目名】０１２０
【補正方法】削除
【補正の内容】
【手続補正１６】
【補正対象書類名】明細書
【補正対象項目名】０１２１
【補正方法】削除
【補正の内容】
【手続補正１７】
【補正対象書類名】明細書
【補正対象項目名】０１２２
【補正方法】削除
【補正の内容】